【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】ポリフェニレンエーテル粉体７０〜９９重量部、ポリスチレン系樹脂１〜３０重量部および必要に応じて難燃剤を、押出機を用いて溶融混練し、中間原料ペレットを造る下記（ａ）、（ｃ）の工程および（ｂ）の配置を含む第一工程ならびに該中間原料ペレット１０〜９０重量部、ポリスチレン系樹脂９０〜１０重量部及び該樹脂部１００重量部に対して難燃剤５〜３０重量部を押出機を用いて、溶融混練する第二工程からなる難燃ポリフェニレンエーテル樹脂組成物の製造方法。
（ａ）ポリフェニレンエーテル粉体を、上から下方向に向かって粉体ストックホッパー、粉体用重量式フィーダー、押出機第一供給口ホッパーの順序で供給する。
（ｂ）ポリフェニレンエーテル粉体供給配管及びガス抜き用配管を該第一供給口ホッパー上部に、またギアボックス側からダイ方向に向かって、ポリフェニレンエーテル粉体供給配管、ガス抜き用配管の順番に配置する。
（ｃ）ポリフェニレンエーテル粉体を該粉体供給配管に通し、ギアボックス側の壁面角度６０〜８５度の第一供給口ホッパー壁面に沿って、該第一供給口に供給し、さらに粉体に含まれるガスをガス抜き配管から脱気する。
【請求項２】第一工程において、フレキシブルコンテナ中のポリフェニレンエーテル樹脂をストックホッパーに供給することを特徴とする請求項１に記載の難燃ポリフェニレンエーテル樹脂組成物の製造方法。
【請求項３】第一工程において、該ポリフェニレンエーテル粉体を不活性ガスと共にストックホッパーに供給し、粉体用重量式フィーダーを経て該第一供給口ホッパーに供給することを特徴とする請求項１または２に記載の難燃ポリフェニレンエーテル樹脂組成物の製造方法。
【請求項４】第一工程において、ポリスチレン系樹脂を該第一供給口ホッパーのガス抜きベント配管の下流側に供給することを特徴とする請求項１〜３のいずれかに記載の難燃ポリフェニレンエーテル樹脂組成物の製造方法。
【請求項５】第一工程において、ポリスチレン系樹脂を該第一供給口ホッパーの下部に供給することを特徴とする請求項１〜４のいずれかに記載の難燃ポリフェニレンエーテル樹脂組成物の製造方法。
【請求項６】第一工程において、第一供給口ホッパー内の酸素濃度が１０ｗｔ％未満であることを特徴とする請求項１〜５のいずれかに記載の難燃ポリフェニレンエーテル樹脂組成物の製造方法。
【請求項７】第一工程において、押出機のスクリュ直径Ｄが４３〜１８０ｍｍであることを特徴とする請求項１〜６のいずれかに記載の難燃ポリフェニレンエーテル樹脂組成物の製造方法。
【請求項８】第一工程の押出機において、下記ョ（１）〜（３）の条件で溶融混練することを特徴とする請求項１〜７のいずれかに記載の難燃ポリフェニレンエーテル樹脂組成物の製造方法。
【数１】
2004137450.tif 000001
【請求項９】第一工程の押出機において、粉体搬送ゾーンバレル温度を１５０〜３００℃に設定し、且つ可塑化ゾーンのバレル設定温度を２５０〜３００℃に設定することを特徴とする請求項１〜８のいずれかに記載の難燃ポリフェニレンエーテル樹脂組成物の製造方法。
【請求項１０】第一工程の押出機において、真空ベントを可塑化ゾーンの下流側に少なくとも１箇所設け、ガス成分を減圧脱気することを特徴とする請求項１〜９のいずれかに記載の難燃ポリフェニレンエーテル樹脂組成物の製造方法。
【請求項１１】第一工程の押出機において、ブレーカープレート濾過面積を押出量１ｋｇあたり１〜５０ｍｍ２に設定することを特徴とする請求項１〜１０のいずれかに記載の難燃ポリフェニレンエーテル樹脂組成物の製造方法。
【請求項１２】第一工程の押出機において、スクリーンチェンジャーがプレート式スクリーンチェンジャーであることを特徴とする請求項１〜１１のいずれかに記載の難燃ポリフェニレンエーテル樹脂組成物の製造方法。
【請求項１３】第一工程の押出機において、ペレットのカッティング方式がストランドカット方式、ホットカット方式およびアンダーウォーターカット方式から選ばれる一種あることを特徴とする請求項１〜１２のいずれかに記載の難燃ポリフェニレンエーテル樹脂組成物の製造方法。
【請求項１４】該中間原料ペレットのサイズを、１〜６ｍｍの球状または円柱状にカッティングすることを特徴とする請求項１〜１３のいずれかに記載の難燃ポリフェニレンエーテル樹脂組成物の製造方法。
【請求項１５】該ポリフェニレンエーテルの分子量分布（Ｍｗ／Ｍｎ）が、２．３〜３．５であることを特徴とする請求項１〜１４のいずれかに記載の難燃ポリフェニレンエーテル樹脂組成物の製造方法。
【請求項１６】第二工程の押出機が液状添加装置付きの単軸押出機であり、該押出機バレル温度を１５０〜２９０℃且つスクリュ回転数を１００〜８００ｒｐｍに設定し、溶融混練することを特徴とする請求項１〜１５のいずれかに記載の難燃ポリフェニレンエーテル樹脂組成物の製造方法。
【請求項１７】第二工程の押出機が液状添加装置付きの二軸同方向回転押出機であり、バレル設定温度を１５０〜２９０℃且つスクリュ回転数を２００〜１５００ｒｐｍに設定し、溶融混練することを特徴とする請求項１〜１５のいずれかに記載難燃ポリフェニレンエーテル樹脂組成物の製造方法。
【請求項１８】第二工程の押出機において、難燃剤供給装置が、重量式液状添加フィーダーであることを特徴とする請求項１〜１７のいずれかに記載の難燃ポリフェニレンエーテル樹脂組成物の製造方法。
【請求項１９】第二工程の押出機において、中間原料ペレット、ポリスチレン系樹脂および必要に応じて添加剤を第一供給口にフィードして、二軸押出機で溶融混練して得られた樹脂組成物１００重量部に対して、ファイバーおよび／または強化材を５〜６０重量部をサイドフィードすることを特徴とする請求項１〜１８のいずれかに記載の難燃ポリフェニレンエーテル樹脂組成物の製造方法。
【手続補正２】
【補正対象書類名】明細書
【補正対象項目名】０００１
【補正方法】変更
【補正の内容】
【０００１】
【発明の属する技術分野】
ポリフェニレンエーテル樹脂組成物は、ロットサイズが小さいものから大きいものまであり、且つグレード数が多く、着色も多種である。しかも、ポリフェニレンエーテル樹脂は、粉体で且つハンドリングの難しい樹脂のため、ポリフェニレンエーテル粉体を押出機で溶融混練するには、押出機一台毎に特殊な粉体供給設備を要する。
本発明は、生産性、物性及び着色性に優れた難燃ポリフェニレンエーテル樹脂組成物の製造方法に関する。
【手続補正３】
【補正対象書類名】明細書
【補正対象項目名】０００７
【補正方法】変更
【補正の内容】
【０００７】
（５）ポリフェニレンエーテル中間原料の種類が多いと、第一工程では、品種切り替えロスが多くなり、生産性低下を起こし、生産計画が複雑になり、労力が増加する。
これらのポリフェニレンエーテル粉体の課題を解決することが求められている。
しかしながら、先行技術では、これらの課題に対して十分とは言えない。
本発明は、生産性、物性及び着色性に優れた難燃ポリフェニレンエーテル樹脂組成物の製造方法を確立することを目的とする。
【手続補正４】
【補正対象書類名】明細書
【補正対象項目名】００４８
【補正方法】変更
【補正の内容】
【００４８】
[製造７]
窒素パージを止めた以外は、製造１と同様に製造した。酸素濃度が高いため、異物が多かった。得られた組成物を中間原料種ｄとした。詳細を表１に示す。
【手続補正５】
【補正対象書類名】明細書
【補正対象項目名】００５４
【補正方法】変更
【補正の内容】
【００５４】
押出量：５００ｋｇ／Ｈ
金属メッシュ：２０番／６０番／２０番／１００番を組み合わせた金属メッシュをブレーカープレートに張り付けた。
ダイプレート：４ｍｍΦの穴径２５穴
ストランドバスの長さ：５ｍ
ストランド水：４０℃
ストランドは、ストランド水に２ｍ浸漬したのち、空冷し、エアワイパーでストランド表面に付着している水を吹き飛ばした。
ストランドのペレタイザーの入り口温度：１４０℃
【手続補正６】
【補正対象書類名】明細書
【補正対象項目名】００５６
【補正方法】削除
【補正の内容】
【手続補正７】
【補正対象書類名】明細書
【補正対象項目名】００５７
【補正方法】変更
【補正の内容】
【００５７】
【実施例１】
第一工程で得られた中間原料ａ  ７６．５重量部及びエーアンドエムミ製ハイシスゴムのＨ９３０２  １１．５重量部及び酸化チタン２重量部を均一混合し、重量式フィーダーから供給し、難燃剤（大八化学製）は、重量式難燃剤フィーダーに仕込み、１２重量部  添加した。押出量は、５００ｋｇ／Ｈに設定した。着色性も○で、物性も良好であった。
【手続補正８】
【補正対象書類名】明細書
【補正対象項目名】００６０
【補正方法】変更
【補正の内容】
【００６０】
【表１】
2004137450.tif 000002
【手続補正９】
【補正対象書類名】明細書
【補正対象項目名】００６１
【補正方法】変更
【補正の内容】
【００６１】
【表２】
2004137450.tif 000003
【手続補正１０】
【補正対象書類名】明細書
【補正対象項目名】００６３
【補正方法】変更
【補正の内容】
【００６３】
【発明の効果】
以上説明したように、本発明の難燃ポリフェニレンエーテル樹脂組成物の製造方法は生産性に優れ、得られた樹脂組成物は優れた物性及び着色性を有する。